(57)【要約】【課題】  風呂敷や手提げバッグ等に取り付けるだけで用いることができ、ＴＰＯに応じて手提げ、肩掛けの何れとしても使い分け可能に使用可能な提げ手を提供する。【解決手段】  本発明に係る提げ手は、手荷物携行手段に接続して該手荷物携行手段を携行する提げ手の両端に該手荷物携行手段との接続手段が設けられてなる提げ手であって、該提げ手が折り返されたとき該提げ手の表裏どうしが係止されうる係止手段が該提げ手に設けられてなることを特徴とする。【選択図】図１
2011005207.tif 000002
【特許請求の範囲】
【請求項１】
手荷物携行手段に接続して該手荷物携行手段を携行する提げ手の両端に該手荷物携行手段との接続手段が設けられてなる提げ手であって、該提げ手が折り返されたとき該提げ手の表裏どうしが係止されうる係止手段が該提げ手に設けられてなる提げ手。
【請求項２】
手荷物携行手段に接続して該手荷物携行手段を携行する提げ手の両端に前記手荷物携行手段との接続手段が設けられてなる提げ手であって、該提げ手が折り返されたとき該提げ手の表裏どうしが係止されうる係止手段と、該提げ手の幅方向中央部に貫通孔とが設けられてなる提げ手。
【請求項３】
前記係止手段がドットボタンである請求項１または２記載の提げ手。
【請求項４】
前記接続手段がＤかんである請求項１または２記載の提げ手。
【発明の詳細な説明】
【技術分野】
【０００１】  本発明は、風呂敷や手提げかばん、手提げ袋、ハンドバッグ、ショルダーバッグ等の手荷物携行手段の提げ手又は取っ手に関する。
【背景技術】
【０００２】  古来、わが国には風呂敷、又は、四辺形のシート、という手荷物携行手段が存在している。風呂敷は、用のないときは小さく畳んで携行できる布１枚の手荷物携行手段であり、その４隅のうち互いに対向する２隅ずつを結わえることで概ね用が足り、臨機応変に任意の形状の荷物をある程度自在に包装することができる。【０００３】  しかしながら、風呂敷は、風呂敷専用ともいうべき地味な色柄・材質で用いられて機能重視ばかりに止まってきており、しかも、冠婚葬祭の引き出物等に使用されている風呂敷やシートは、派手な柄物すぎたり、見栄えだけの厚さであったりして普通の風呂敷としての用途への流用は利き難い。【０００４】  他方、手提げかばんや手提げ袋、ハンドバッグ、ショルダーバッグ等は、種々の内容の手荷物に対応して素材や形状、容量が自在に選択できる。さらに、把持部である、提げ手や肘掛ベルト、肩掛けベルトは、手の平で把持するか、肘に提げるか、肩から掛けるかという携行方法の違いにも応じて本体にマッチしたものが提供されている。【０００５】  これらのかばん類は、総じて、携行しやすさや堅牢さ、デザインもそれぞれ考慮されているうえ、時々の流行を含め、トータルファッションが意識されていると言って差し支えない。かようにして、ハンドバッグやショルダーバッグ等のデザイン性やファッション性の前に、風呂敷は、存在感が薄れてきていた。【０００６】  さて、風呂敷をそのまま手提げバッグやハンドバッグとして簡易包装体として用い、いわゆるＤ型リングを利用して提げ手を風呂敷に簡便に取り付けて携行することについて、その簡易包装体のための取っ手が提案されている（例えば、特許文献１参照）。この提案においては、Ｄ型リングによって風呂敷に取り付けるための取っ手の種々の材料や構造が開示されている。【０００７】  他方、かばんや手提げバッグ、ハンドバッグ、ショルダーバッグの場合には、初めから長いめのベルトが取り付けられていて、ベルトには一部折り返しを設けて長さ調節のバックルを介在させた構造や、針で穴を係止する構造にして長さが調節できる構成になっていることが多い（例えば、特許文献２・図３及び図７参照）。特にショルダーバッグでは、内容物が重くなったとき等に、ベルトを最短にして手に提げる人を見かけたり、逆に、ハンドバッグのベルトを長いめにしてショルダーバッグ風に肩から掛ける人を見かけたりすることもある。【０００８】  このような観点から従来の手提げバッグ等のベルト・把持部を観察すると、確かに、上述のような構成などで提げ手の長さが調節されるが、手提げか肩掛けかを調節可能にしたというよりは、携行する人の身長や、肩掛けでも斜め掛けまで可能にするか否かに対応できるような意味での長さ調節であると考えた方が実態に即していると思われる。【０００９】  翻って、風呂敷や、百貨店又はスーパーマーケット等で商品とともに頒布されるような紙製や薄いフィルム製の手提げバッグのような、簡易包装体というべき手軽な安価な手荷物携行手段に対して、上述のハンドバッグやショルダーバッグのようなベルトや提げ手と同様の構造を求めるには、端的に言えば、コスト的に、無理があるというべきである。【００１０】  このような簡易包装体であっても、手の平で把持するか、肘に提げるか、肩に掛けるかは、持ち手が、随時、内容物の重さ・嵩たかさ、疲労度合い等に応じて使い分けることができると好ましい。このような試みとして、提げ手の長さを使い分けることについて、提げ手を取り付ける位置を可変にすることで実現する試みが提案されている（例えば、特許文献３参照）。【００１１】  また、着脱可能な提げ手の接続方法としては、いわゆるジョイントで着脱可能な把持ベルト（例えば、特許文献４・図１参照）や、連結部品（いわゆる「なすかん」）で着脱可能な構成も提案されている（例えば、特許文献５・図３参照）。総じて、これらの文献の例は、長さ調節とは言うものの、短くしたときの余剰の部分は見るからに余剰であって、使い方の便利さや安全性、手軽さの観点から、手提げか肩掛けかの選択が任意にできる構成にされているとは言い難い。
【先行技術文献】
【特許文献】
【００１２】
【特許文献１】特開２００８−１１０１９６号公報
【特許文献２】特開２００６−３２６２５０号公報
【特許文献３】特開２００８−１８４１８３号公報
【特許文献４】特開２００６−１６７４０２号公報
【特許文献５】特開２００７−１３７５１６号公報
【発明の概要】
【発明が解決しようとする課題】
【００１３】  本発明者らは、これらの従来技術は、ＴＰＯに相応しいトータルファッションが可能かどうかということや、風呂敷の活用を促進してポリ袋使用の低減を図るなど最近の環境政策にもマッチするかどうかということまでを含めた意味での使い勝手は充分ではないと考慮し、種々研究を重ね、本発明をなすに至った。【００１４】  本発明の目的は、かかる従来技術の欠点を解決することにある。即ち、風呂敷や手提げバッグに取り付けるだけで用いることができ、ＴＰＯに応じて手提げ、肩掛けの何れとしても使い分け可能に使用可能であり、かつ、短く使用したときに便利さが変わらず安全性や手軽さにおいて違和感がなく、トータルファッション機能も有している提げ手を提供することにある。
【課題を解決するための手段】
【００１５】  本発明にかかわる手提げは、手荷物携行手段に接続して該手荷物携行手段を携行する提げ手の両端に該手荷物携行手段との接続手段が設けられてなる提げ手であって、該提げ手が折り返されたとき該提げ手の表裏どうしが係止されうる係止手段が該提げ手に設けられてなることを特徴としている。【００１６】  前記手荷物携行手段は、例えば、風呂敷や手提げかばん、手提げ袋、ハンドバッグ、ショルダーバッグ等を含み、手荷物を携行できる、風呂敷や紙製、樹脂フィルム製等のような簡易包装体は勿論のこと、かばんと総称されるものを合わせていう。【００１７】  また、本発明は別の態様も提供する。即ち、本発明に係る提げ手は、手荷物携行手段に接続して該手荷物携行手段を携行する提げ手の両端に前記手荷物携行手段との接続手段が設けられてなる提げ手であって、該提げ手が折り返されたとき該提げ手の表裏どうしが係止されうる係止手段と、該提げ手の幅方向中央部に貫通孔とが設けられてなることを特徴としている。【００１８】  接続手段は、Ｄかんや、なすかん、ジョイントなど、既製のものを利用することができる。係止手段は、ドットボタン、スナップボタン、普通のボタンなどを利用することができる。従って、提げ手や接続手段、係止手段の材質、デザインを自由に選択することができるので、トータルファッションを考慮して提げ手を設計製作することができる。
【発明の効果】
【００１９】  本発明に係る提げ手は、提げ手の途中を折り返して互いに表裏どうしを係止する点が特徴であり、その利用が風呂敷に限定されるものではなく、他の種々の手荷物携行手段、簡易包装体に対しても接続手段を適切に選択しておいて利用することができる。【００２０】  かようにして本発明に係る提げ手は、風呂敷や手提げバッグに取り付けるだけで用いることができる。そして、提げ手や係止手段の材質、デザインが自由にできるので、ＴＰＯに応じて手提げ、肩掛けの何れとしても使い分け可能に製作して提供可能である。しかも、短くして使用したときに便利さが変わらず安全性や手軽さにおいて違和感がなく、トータルファッション機能も有している。【００２１】  従って、本発明に係る提げ手は、風呂敷の利用を促進することは勿論、従来リユースの進んでなかった他の形態の簡易包装体の利用も促進できる効果が得られる。
【図面の簡単な説明】
【００２２】
【図１】  第一の実施例を示す斜視説明図であり、（ａ）は提げ手を長い状態で使用する場合、（ｂ）は提げ手を折り返してドットボタンで係止し短い状態で使用する場合を示す。
【００２３】
【図２】  第二の実施例を示す斜視説明図であり、（ａ）は提げ手を短い状態で使用する場合、（ｂ）はその短い状態で使用する場合の側面説明図、（ｃ）は（ｂ）の場合の平面説明図、（ｄ）は（ａ）の構成にさらに折り返しを増やした応用例を示す側面説明図、（ｅ）は（ｄ）の場合の平面説明図である。これらの側面を示した図２（ｂ）及び（ｄ）では貫通孔７、９、１０を見やすく示すため、貫通孔の近傍のみハッチングを記載した。また、図２（ｂ）〜（ｅ）では両端の接続部分の詳細は省略した。
【発明を実施するための形態】
【００２４】  以下、添付図面を参照しつつ、本発明の最良の実施形態の実施例として、風呂敷に接続して手の平で把持でき、又は、長い状態で肩から掛けることのできる提げ手の例に即して、より詳細に説明する。
【実施例１】
【００２５】  図１（ａ）、（ｂ）において、１はいわゆるナイロンベルト製の提げ手、幅２０〜３０ｍｍ、長さ４０〜７０ｍｍ、厚さ約１ｍｍで、両端は、本実施例で使用するＤかん（Ｄ型リング）２ａ、２ｂ、２ｃ、２ｄの直線部分を軸支できるように折り返しの縫い取りがされ、Ｄかんが設けられている。なお、図１において縫い取り部分１１ａ、１１ｂを破線で示し、図１（ｂ）ではＤかん（図示せず）の直線部分の位置のみ二点鎖線２ａ、２ｂ、２ｃ、２ｄで示した。縫い取りは接着でもよい。【００２６】  ナイロンベルトは、提げ手１の実施例として幅広の帯状のものが、従来の種々の応用のものとの違和感がなく、また接続手段や係止手段を設けるのに好都合であり、さらに、入手も容易であるが、限定されるものではない。材質はナイロンベルト以外に、ポリエステル、皮革、織布、不織布等から選択できる。【００２７】  提げ手１は、幅が上記３０ｍｍを超えるものであれば肩で支えるときの安定感が得られ、係止手段を設ける場合の余幅が両側に得られ強度の低下が見込まれないので幅方向の位置の制約が少ない。幅が上記２０ｍｍを下回る場合、提げ手はひも状に近づき、係止手段の種類の選択がやや制限されるが、中身をあまり多く実質的に入れないポシェットのようなスタイルでも使用できる。また、長さは、身長との比較で設定することができ、上記の長さの範囲に限定されるものではない。このように、提げ手の幅や長さ、厚さ、材質等は限定されるものではない。【００２８】  図１（ａ）に示したように、提げ手１のナイロンベルトの片端にはＤかんが２個、２ａ、２ｂ、他端にも２個、２ｃ、２ｄが取り付けられている。Ｄかんはナイロンベルト製の提げ手の幅に対応して、直線部分がベルトの幅より若干長く、また、「かん」の直径は約３ｍｍのものを使用したが、限定されるものではない。【００２９】  また、図１（ａ）に示したように、長さ方向で概ね３等分の位置に、いわゆるドットボタン（凹凸一対の嵌合金具式のボタン）３ａ、３ｂ、３ｃ、３ｄが、通常と同様にかしめにより取り付けられているが、縫い取りにより取り付けるタイプのものでもよい。ドットボタンは、提げ手１を折り返したときに表裏どうしを係止する手段として設けられる。そして、ドットボタンのそれぞれの位置は折り返しの長さによって決められ、提げ手１を製作するときに、折り返しの長さを変更して設計することによって適宜変更されうる。【００３０】  さらに、図１（ａ）に示したように、ドットボタンの雄型、雌型は、３ａは雌型表、３ｂは雄型表、３ｃは雄型裏、３ｄは雌型裏のように向きを交互状に、折り返したときにベルトの表裏の位置で互いに嵌め込みによって係止できるように取り付けの表裏と、雄タイプと雌タイプとが対応するように、交互状に選定されて取り付けられている。図１（ｂ）では、折り返しにより見えない位置となるがドットボタン３ａの位置の裏側に３ｃが嵌め合せられ、ドットボタン３ｂは裏返った位置が３ｄの位置となり３ｂに３ｄが嵌め合せられている。【００３１】  ドットボタンは、雄タイプと雌タイプを嵌め合せたときに、内部は、２本の帯を円環状にして直径を僅かに変えて嵌め合わせて重ねた状態になるように設計されていて円周表面どうしで���いに係止できる構造である。従って作用力が円周に沿って分散されるので、簡単な構造ながら剥離方向の力の作用に対しては外れにくい。【００３２】  また、ＤかんはＤ字形に限定されるものではなく、円形、楕円形等任意である。なお、Ｄかんは提げ手１の片端にそれぞれ１個ずつでもよく、その場合は、風呂敷を結わえるとき、上述の一方の束ねをＤかんに通したのち束ねの先端を風呂敷に直接巻きつけて結わえることになる。【００３３】  このようにして、ナイロンベルトやドットボタン、Ｄかんは、寸法や材質、デザイン等を自由に選択することができるので、トータルファッションを考慮して提げ手を設計して製作し、提供することができる。【００３４】  本実施例の提げ手１の使用方法は、提げ手１を長いまま使用するときは、風呂敷を４隅端部の２隅ずつを束ねて結わえる場合の一方の束ねをＤかん２本に通したのち折り返し、さらにどちらか１本のＤかんに再度通してこの端部を固定し、提げ手１の他端にも同様に他方の束ねを固定して肩から掛ける等、利用できる。即ち、従来からのＤかんの使用方法と同じである。【００３５】  このようにＤかんに風呂敷の４隅端部を固定したのちは、短くして使用する場合は、提げ手１を折り返して３ａと３ｃを嵌め合せ、３ｂと３ｄを嵌め合せて提げ手１を束ねて短くして使用することができる。【００３６】  短くして利用する場合、ナイロンベルトの提げ手１は、表裏どうしが、折り返した位置がドットボタンで嵌め合せられているので、意識的にナイロンベルト同士の剥離方向の応力をかけないと容易に外れない。従って、提げ手の幅方向及び長さ方向のずれは生じることなく、ナイロンベルトを束ねた状態のまま、束ねた提げ手１のナイロンベルトがばらけることなく把持することができ、提げ手としてまとめて握ることができる。従って、本実施例の提げ手１は表裏どうしが係止された場合、携行する人の手で把持したときにずれる不快感が少なく、酷使にも耐える。【００３７】  上述したように、本実施例は、風呂敷に接続する場合を示して説明したが、手提げ袋やハンドバッグ、ショルダーバッグなどにも利用可能である。即ち、これらの既製のものには取っ手が設けられているので、その取っ手の構造に合わせて、接続用の両端の部分に接続手段として、Ｄかんの代わりに、前記既製の取っ手に適合できるジョイント、なすかん、クリップ等の接続部材等を設けておくことができる。ジョイントは、雄型、雌型を使い分けてバッグ等の取っ手に取り付ける。【００３８】  また、係止手段として、スナップボタンや、通常のボタンを利用することもできる。普通のボタンの場合は、ボタンを取り付ける位置は上述の場合と同様であるが、ベルトを折り返して使用する場合の折り返した位置には止め穴（ボタンホール）のみが設けられることになる。【００３９】  即ち、例えば、図１（ａ）では、３ａの位置に、ナイロンベルトの裏側にボタンが設けられ、３ｂと３ｃは、ボタンの止め穴が設けられ、３ｄは図１（ａ）ではナイロンベルトの表側にボタンが設けられる。勿論、ボタンと、止め穴の組合せは、３ｂと３ｃがボタン、３ａと３ｄが止め穴のように、逆でもよい。ボタンの他にも、プラスチック製のスナップボタンやホックなども利用することができる。
【実施例２】
【００４０】  本実施例２においても、本発明に係る提げ手を風呂敷に接続する場合を示して説明するが、手提げ袋やハンドバッグ、ショルダーバッグなどに対しても実施例１の場合と同様に構成することができ、接続手段、係止手段等の構成は下記の実施例に限定されるものではない。【００４１】  図２（ａ）〜（ｅ）において、４はいわゆるナイロンベルト製の提げ手、幅２０〜３０ｍｍ、長さ４０〜７０ｍｍ、厚さ約１ｍｍで、両端は、本実施例で使用するＤかんの直線部分を軸支できるように折り返しの縫い取りがされており、図２（ａ）において縫い取り部分１２ａ、１２ｂで示した。縫い取りは接着でもよい。実施例１と同様に、ナイロンベルト製の提げ手４の幅や長さ、厚さ、材質等は限定されるものではない。【００４２】  また、提げ手４の片端にはＤかん５ａ、５ｂ（図示せず、位置のみ）が２個、他端にも５ｃ、５ｄ（図示せず、位置のみ）が２個取り付けられている。ＤかんはＤ字形に限定されるものではない。以下、実施例１と異なる点について説明する。【００４３】  提げ手４の長さ方向で２等分の位置に、ナイロンベルトの幅方向のほぼ中央に、後述の、ドットボタンの凹凸部の直径よりもやや大きい環状の貫通孔７が開口されており貫通孔７は上述の凹凸部を通すことができる。また、長さ方向で概ね３等分の位置６ａ、６ｂにドットボタンが、かしめにより取り付けられている。ドットボタンの位置は、提げ手４を製作するときに折り返しの長さを変更して設計することによって適宜変更されうる。図２（ｃ）では、ドットボタン６ａの位置に貫通孔７とドットボタン６ｂが隠れていることになる。【００４４】  ドットボタンの雄型、雌型は、図２（ｂ）のように折り返したときにベルトの表裏の位置となり、かつ、貫通孔７を介して嵌め込みによって係止できるように、例えば６ａが雌型表、６ｂが雄型表のように、交互状に選定されている。貫通孔７は、例えば、ドットボタン６ａと６ｂの係止に支障のない大きさで開口するように設けられていて貫通孔７の辺縁は纏り処理やリング嵌め込み等により亀裂や解れを生じないように加工されていることが好ましい。【００４５】  本実施例２によって、ナイロンベルト製の提げ手４が折り返されて、貫通孔７を介して３層構造状態で表裏が互いに係止された場合でも、ドットボタンは、意識的にナイロンベルト同士の剥離方向の応力をかけないと容易に外れない。従って、把持したときに３層構造部分が幅方向、長さ方向でずれることなく、不快感が少ない。また酷使にも耐える。係止手段がドットボタンに限定されないことは実施例１と同様である。同様に、貫通孔は環状に限定されない。【００４６】  また、図２（ａ）の折り返し構造を２箇所に設けた実施例を図２（ｄ）及び（ｅ）に示す。ナイロンベルト製の提げ手４、ドットボタン８ａ、８ｂ、８ｃ、８ｄ、貫通孔９、１０である。寸法や形状等が限定されるものでないことは上述の実施例と同様である。図２（ｅ）では、ドットボタン８ａの位置に貫通孔９とドットボタン８ｂが隠れており、ドットボタン８ｃの位置に貫通孔１０とドットボタン８ｄが隠れていることになる。【００４７】  実施例２は、以上に説明したように構成されるので、実施例２の場合も、風呂敷の結��え方は実施例１と同様である。【００４８】  以上の実施例１、２において、何れの場合でも、接続手段として、Ｄかんは風呂敷の４隅を、２隅ずつそれぞれまとめて実施例１、２の提げ手の両端に通して接続することができる。Ｄかんが提げ手の片側に２個ずつの場合は風呂敷に包装した内容物の重量で引っ張られることで、１個のＤかんが風呂敷の４隅のうちの２隅の一方を掛け、もう１個のＤかんが、掛け返した部分がずるずると動くことを止めるので、手荷物を携行するあいだ、接続位置を固定できる。【００４９】  また、係止手段としてドットボタンは雄タイプと雌タイプを嵌め込みで係止するので、意識的にナイロンベルト同士の剥離方向の応力をかけないと容易に外れないので提げ手の幅方向及び長さ方向のずれは生じることなくナイロンベルトを束ねた状態のまま、ベルトがばらけることなく把持することができ、提げ手としてまとめて握ることができる。
【符号の説明】
【００５０】１  ナイロンベルト製の提げ手
２ａ、２ｂ、２ｃ、２ｄ  Ｄかん
３ａ、３ｂ、３ｃ、３ｄ  ドットボタン
４  ナイロンベルト製の提げ手
５ａ、５ｂ、５ｃ、５ｄ  Ｄかん
６ａ、６ｂ  ドットボタン
７、９、１０  貫通孔
８ａ、８ｂ、８ｃ、８ｄ  ドットボタン
１１ａ、１１ｂ、１２ａ、１２ｂ  縫い取り部分
【図１】
2011005207.tif 000003
【図２】
2011005207.tif 000004